(57)【特許請求の範囲】
【請求項１】
ケースに収容され、前記ケースに形成された開口にキートップが位置される押釦スイッチであって、
前記キートップと、前記キートップの裏面中央に突出形成された軸部とを有する押釦と、
前記軸部を収容案内する貫通穴が形成された案内部と、前記案内部を支持する支持板部とを有するガイドと、
前記軸部の先端によって押されて操作されるスイッチ接点とを備え、
前記軸部の外周面には前記軸部の軸方向に延伸するリブが少なくとも軸周りの相互に異なる一直線上にない方位に２つ突出形成され、
前記リブをそれぞれ摺動案内する複数の溝が前記貫通穴の内周面に形成されており、
前記軸部が前記貫通穴に案内される時に摺動する部分は、前記リブの幅方向の側面と前記溝の幅方向の内壁のみに限定され、
前記軸部の外周面の前記リブを設けていない部分と前記リブの突出方向の先端面とは、摺動作用に関与しない部位とされて、前記貫通穴に対するクリアランス空間を形成しており、
前記支持板部上に前記案内部を囲んで突出形成されるガイド側侵入防止壁、及び前記キートップの裏面に前記軸部を囲んで突出形成される押釦側侵入防止壁の、両方が設けられており、
前記キートップは、外面が操作面とされる閉塞された一端と側周壁とを有する、前記一端が閉塞された筒状をなし、
前記ガイド側侵入防止壁及び前記押釦側侵入防止壁は、前記側周壁よりも前記軸部に近い内側に設けられていることを特徴とする押釦スイッチ。
【請求項２】
請求項１記載の押釦スイッチにおいて、
前記ガイド側侵入防止壁と前記押釦側侵入防止壁とが互い違いとなるように形成されていることを特徴とする押釦スイッチ。
【請求項３】
請求項１記載の押釦スイッチにおいて、
前記ガイド側侵入防止壁と前記押釦側侵入防止壁とが互いに対向する位置に形成されていることを特徴とする押釦スイッチ。
【請求項４】
ケースに収容され、前記ケースに形成された開口にキートップが位置される押釦スイッチであって、
前記キートップと、前記キートップの裏面中央に突出形成された軸部とを有する押釦と、
前記軸部を収容案内する貫通穴が形成された案内部と、前記案内部を支持する支持板部とを有するガイドと、
前記軸部の先端によって押されて操作されるスイッチ接点とを備え、
前記軸部の外周面には前記軸部の軸方向に延伸するリブが少なくとも軸周りの相互に異なる一直線上にない方位に２つ突出形成され、
前記リブをそれぞれ摺動案内する複数の溝が前記貫通穴の内周面に形成されており、
前記軸部が前記貫通穴に案内される時に摺動する部分は、前記リブの幅方向の側面と前記溝の幅方向の内壁のみに限定され、
前記軸部の外周面の前記リブを設けていない部分と前記リブの突出方向の先端面とは、摺動作用に関与しない部位とされて、前記貫通穴に対するクリアランス空間を形成しており、
前記支持板部上に前記案内部を囲んで突出形成されるガイド側侵入防止壁、及び前記キートップの裏面に前記軸部を囲んで突出形成される押釦側侵入防止壁の、両方が設けられており、
前記ガイド側侵入防止壁と前記押釦側侵入防止壁とが互いに対向する位置に形成されていることを特徴とする押釦スイッチ。
【請求項５】
請求項１から４までに記載のいずれかの押釦スイッチにおいて、
前記リブは２つとされて互いに９０°をなす位置に形成されていることを特徴とする押釦スイッチ。
【請求項６】
請求項１から４までに記載のいずれかの押釦スイッチにおいて、
前記リブは３つとされて９０°間隔で形成されていることを特徴とする押釦スイッチ。
【発明の詳細な説明】
【技術分野】
【０００１】
この発明は例えばＦＡ（Ｆａｃｔｏｒｙ  Ａｕｔｏｍａｔｉｏｎ）機器等、各種機器の操作パネルなどに配列されて使用される押釦スイッチに関する。
【背景技術】
【０００２】
図８及び９は特許文献１に記載されているスイッチ操作パネルの概要を示したものであり、各スイッチのキートップ１１はそれぞれキートップガイド１２内に挿入され、キートップ操作方向においてキートップ１１はキートップガイド１２により案内されるものとなっている。キートップ１１はほぼ方形筒状の周壁の上端が閉塞されてその外面はキートップ頂面１１ａとされており、キートップガイド１２もキートップ１１の筒とほぼ同軸心の角筒状とされている。
【０００３】
キートップガイド１２の内面にはキートップ操作方向と平行した案内溝１３が周壁の３つの平面のそれぞれに各１本形成されており、案内溝１３に相当する分、外周面が突出して突条１４が構成されている。キートップ１１の外周面には案内溝１３に挿入されるリブ１５がキートップ操作方向と平行に形成されている。これら案内溝１３とリブ１５により、キートップ１１はキートップガイド１２によって操作方向が正しく保持される。
【０００４】
キートップガイド１２は操作パネルを構成するケース（図示せず）とは別体に構成されている。各キートップガイド１２はガイド保持板１６に挿通され、ガイド保持板１６とケースによりキートップガイド１２の一部が挟み保持されるものとなっている。ケースには各キートップ１１が外部に臨む穴が設けられている。
【０００５】
案内溝１３はキートップ頂面１１ａと反対側の端面から途中まで形成されており、リブ１５のキートップ頂面１１ａ側は除去されている。キートップ１１をその操作方向と反対方向に引くと、リブ１５の上端が案内溝１３の上側の端と係合し、これによりキートップ１１は抜け出ることはない。
【０００６】
一方、キートップガイド１２の一側板にはキートップ操作方向に延長した脱落防止片１７が構成されており、脱落防止片１７の上端の内面には突部が形成されている。キートップ１１はその頂部が脱落防止片１７の上端と係合して下側から脱落するのが防止されている。なお、図８中、１８は基板（図示せず）に設けられ、キートップ１１により操作されるスイッチ素子を示し、１９は基板に取り付けられている照光用の発光素子を示す。スイッチ素子１８の操作用ピンはキートップ頂面１１ａの内面と接触されている。
【先行技術文献】
【特許文献】
【０００７】
【特許文献１】特開平１１−１０２６２２号公報
【発明の概要】
【発明が解決しようとする課題】
【０００８】
上述したように、特許文献１に記載されているスイッチ操作パネルにおいては、キートップ１１の外周面に形成された３つのリブ１５がキートップガイド１２に形成された案内溝１３に挿入されて案内されるものとなっており、これによりキートップ１１を操作した場合、ガタツキがほとんどなく、キートップ１１の角を押しても安定したスイッチ操作が可能となっている。
【０００９】
しかるに、リブ１５と案内溝１３とよりなる案内構造はキートップ１１の周縁に位置しているため、キートップ１１が外部に臨むケースの穴におけるキートップとケースの隙間から粉塵を含んだ液体や埃、粉塵等が侵入すると、それら異物がリブ１５と案内溝１３との摺動部分に入り込み易く、これにより摺動不良が発生し、スイッチ操作の安定性が損なわれるといった状況が生じる。
【００１０】
この発明の目的はこの問題に鑑み、摺動不良が生じにくいようにし、これによりスイッチ操作の安定性に優れ、かつ良好な操作感触が得られるようにした押釦スイッチを提供することにある。
【課題を解決するための手段】
【００１１】
請求項１の発明によれば、ケースに収容され、ケースに形成された開口にキートップが
位置される押釦スイッチは、キートップと、キートップの裏面中央に突出形成された軸部
とを有する押釦と、前記軸部を収容案内する貫通穴が形成された案内部と、案内部を支持
する支持板部とを有するガイドと、前記軸部の先端によって押されて操作されるスイッチ
接点とを備え、前記軸部の外周面には前記軸部の軸方向に延伸するリブが少なくとも軸周
りの相互に異なる一直線上にない方位に２つ突出形成され、リブをそれぞれ摺動案内する
複数の溝が前記貫通穴の内周面に形成され、前記軸部が前記貫通穴に案内される時に摺動
する部分はリブの幅方向の側面と前記溝の幅方向の内壁のみに限定され、前記軸部の外周
面のリブを設けていない部分とリブの突出方向の先端面とは摺動作用に関与しない部位と
されて前記貫通穴に対するクリアランス空間を形成し、支持板部上に案内部を囲んで突出
形成されるガイド側侵入防止壁及びキートップの裏面に前記軸部を囲んで突出形成される押釦側侵入防止壁の両方が設けられ、キートップは外面が操作面とされる閉塞された一端と側周壁とを有する、前記一端が閉塞された筒状をなし、ガイド側侵入防止壁及び押釦側侵入防止壁は前記側周壁よりも前記軸部に近い内側に設けられているものとされる。
【００１３】
請求項２の発明では請求項１の発明において、ガイド側侵入防止壁と押釦側侵入防止壁とが互い違いとなるように形成されているものとされる。
【００１４】
請求項３の発明では請求項１の発明において、ガイド側侵入防止壁と押釦側侵入防止壁とが互いに対向する位置に形成されているものとされる。
【００１５】
請求項４の発明によれば、ケースに収容され、ケースに形成された開口にキートップが位置される押釦スイッチは、キートップと、キートップの裏面中央に突出形成された軸部とを有する押釦と、前記軸部を収容案内する貫通穴が形成された案内部と、案内部を支持する支持板部とを有するガイドと、前記軸部の先端によって押されて操作されるスイッチ接点とを備え、前記軸部の外周面には前記軸部の軸方向に延伸するリブが少なくとも軸周りの相互に異なる一直線上にない方位に２つ突出形成され、リブをそれぞれ摺動案内する複数の溝が前記貫通穴の内周面に形成され、前記軸部が前記貫通穴に案内される時に摺動する部分はリブの幅方向の側面と前記溝の幅方向の内壁のみに限定され、前記軸部の外周面のリブを設けていない部分とリブの突出方向の先端面とは摺動作用に関与しない部位とされて前記貫通穴に対するクリアランス空間を形成し、支持板部上に案内部を囲んで突出形成されるガイド側侵入防止壁及びキートップの裏面に前記軸部を囲んで突出形成される押釦側侵入防止壁の両方が設けられ、ガイド側侵入防止壁と押釦側侵入防止壁とが互いに対向する位置に形成されているものとされる。
請求項５の発明では請求項１から４までのいずれかの発明において、リブは２つとされ
て互いに９０°をなす位置に形成されているものとされる。
【００１６】
請求項６の発明では請求項１から４までのいずれかの発明において、リブは３つとされ
て９０°間隔で形成されているものとされる。
【発明の効果】
【００１７】
この発明によれば、リブと溝とよりなる摺動案内部分に異物が入り込む可能性は低く、よって摺動不良が発生するといった状況は生じにくいものとなっており、スイッチ操作の安定性、信頼性に優れ、かつ良好な操作感触が得られる押釦スイッチを得ることができる。
【図面の簡単な説明】
【００１８】
【図１】この発明における押釦スイッチの一実施例がケースに配列されて収容された状態を示す断面図。
【図２】Ａは図１の部分拡大図、ＢはＡに示した押釦スイッチが操作された状態を示す断面図。
【図３】Ａは図１における押釦の平面図、Ｂはその正面図、Ｃはその底面図、Ｄはその斜視図。
【図４】Ａは図１におけるガイドの要部を示す平面図、Ｂはその斜視図。
【図５】ケースに多数の押釦スイッチが収容されてなる操作パネルの一例を示す平面図。
【図６】Ａはこの発明による押釦スイッチの他の実施例を示す断面図、ＢはＡに示した押釦スイッチが操作された状態を示す断面図。
【図７】Ａはリブを４つとした押釦の斜視図、Ｂはリブを２つとした押釦の斜視図。
【図８】従来のスイッチ操作パネルのケースを外した状態の一部を示す平面図。
【図９】Ａは図８におけるキートップがキートップガイドに挿入された状態の底面図、Ｂはその一部断面とした正面図。
【発明を実施するための形態】
【００１９】
この発明の実施形態を図面を参照して実施例により説明する。
【００２０】
図１はケースに配列されて収容されたこの発明による押釦スイッチの一実施例の構成を示したものであり、図２Ａは１つの押釦スイッチ部分を拡大して示したものである。
【００２１】
図１中、２１はフロントケースを示し、２２はリアケースを示す。押釦スイッチはこれらフロントケース２１とリアケース２２とよりなるケース２０に収容されている。押釦スイッチは押釦３０とガイド４０とラバーシート５０と基板６０とによって構成されており、ガイド４０、ラバーシート５０及び基板６０は複数の押釦スイッチで共有化されている。
【００２２】
図３は押釦３０の詳細を示したものであり、押釦３０はキートップ３１と軸部３２とを備えている。キートップ３１は一端が閉塞された方形筒状をなし、閉塞された一端の外面が操作面３１ａとされる。キートップ３１の他端側の外周にはフランジ３１ｂが方形状をなして突出形成されている。
【００２３】
軸部３２は円柱状をなし、キートップ３１の裏面３１ｃ（操作面３１ａと反対面）の中央に突出形成されている。軸部３２はキートップ３１の他端から突出する長さとされており、軸部３２の中心には穴３２ａが設けられている。軸部３２の外周面には軸部３２の径方向に突出し、軸部３２の軸方向に延伸するリブ３３が軸部３２の全長に渡って形成されている。リブ３３はこの例では軸部３２の軸周りに９０°間隔で３つ形成されている。
【００２４】
さらに、この例では円筒形状をなす押釦側侵入防止壁３４が軸部３２を囲んでキートップ３１の裏面３１ｃに突出形成されている。押釦側侵入防止壁３４の高さ（突出高さ）はキートップ３１の他端から突出しない高さとされている。
【００２５】
図４はガイド４０の要部構成を示したものであり、ガイド４０は押釦３０を案内する案内部４１を備え、案内部４１は支持板部４２によって支持された構造となっている。案内部４１は円柱状とされてその中心には貫通穴４３が形成されており、貫通穴４３の内周面には貫通穴４３の貫通方向に延びる溝４４が形成されている。溝４４は押釦３０の３つのリブ３３と対応して貫通穴４３の周方向に９０°間隔で３つ形成されており、貫通穴４３の全長に渡って形成されている。
【００２６】
ガイド４０にはガイド側侵入防止壁４５が形成されている。ガイド側侵入防止壁４５は円筒形状をなし、案内部４１をそれぞれ囲むように支持板部４２上に突出形成されている。
【００２７】
基板６０には図１及び２では詳細図示を省略しているが、押釦スイッチの構成要素をなす一対の固定接点が各押釦スイッチを構成する位置に形成されている。一対の固定接点は例えば互いに噛み合うように配置されて形成された一対の櫛状接点とされる。
【００２８】
基板６０はリアケース２２の内面上に配置されて固定されており、この基板６０上にラバーシート５０が搭載されている。ラバーシート５０には基板６０の各固定接点と対向して柱状部５１が形成されており、柱状部５１は弾性変形可能なスカート部５２によって包囲されて支持され、上下動可能とされている。柱状部５１の下端面には可動接点５３が設けられている。可動接点５３は例えば導電材が印刷されて形成されており、この可動接点５３と基板６０に形成されている一対の固定接点とによってスイッチ接点が構成されている。
【００２９】
ガイド４０はラバーシート５０のシート部５４と所定の距離、離間してラバーシート５０上に位置されている。ガイド４０の各案内部４１の貫通穴４３はラバーシート５０の各柱状部５１上に位置されている。
【００３０】
押釦３０は軸部３２がガイド４０の貫通穴４３に挿入されてガイド４０に取り付けられている。軸部３２に形成されている３つのリブ３３はそれぞれ貫通穴４３の内周面に形成されている溝４４に収容され、軸部３２の先端（下端）はラバーシート５０の柱状部５１の上端面上に位置されている。
【００３１】
フロントケース２１には各押釦スイッチと対応して開口２３が形成されており、各押釦スイッチのキートップ３１は開口２３に位置してその一部がフロントケース２１から突出されている。キートップ３１はフランジ３１ｂがフロントケース２１の内面と突き当たることによってケース２０から抜け止めされている。なお、図１では詳細図示を省略しているが、ラバーシート５０及びガイド４０はそれぞれ周縁部分が所定の位置決め構造によってケース２０内に位置決めされるものとなっている。
【００３２】
上記のような構成において、押釦３０の軸部３２はガイド４０の貫通穴４３に収容されて案内されるものとなっており、キートップ３１の操作面３１ａを押し込み操作すると、軸部３２の先端によってラバーシート５０の柱状部５１が押され、スカート部５２が変形して柱状部５１が下方へ変位する。これにより柱状部５１に形成されている可動接点５３が基板６０に形成されている一対の固定接点と接触し、一対の固定接点が導通されてスイッチ接点がＯＮとなる。図２Ｂはこのようにしてスイッチ接点が操作され、ＯＮとなった状態を示している。
【００３３】
一方、キートップ３１への押圧力を解除すると、スカート部５２は元の状態に弾性復帰し、可動接点５３が一対の固定接点から離れることでスイッチ接点はＯＦＦとなり、押釦３０は元の位置に復帰する。
【００３４】
押釦３０の軸部３２には上述したようにリブ３３が３つ形成され、これらリブ３３を摺動案内する溝４４がガイド４０の貫通穴４３の内周面に３つ形成されており、この例ではリブ３３と溝４４とよりなる案内構造によって押釦３０操作時にガタツキや傾きが発生せず、良好な操作感触が得られるものとなっている。
【００３５】
このようなリブ３３と溝４４とよりなる案内構造は、この例では従来のようにキートップの周縁位置ではなく、キートップ３１の裏側中央に位置しており、つまりキートップ３１が外部に臨むフロントケース２１の開口２３におけるキートップ３１とフロントケース２１の隙間から遠ざかった位置に位置している。よって、キートップ３１とフロントケース２１の隙間から粉塵を含んだ液体や埃、粉塵等の異物が侵入したとしても、異物がリブ３３と溝４４との摺動部分に入り込む可能性は低く、摺動不良が発生するといった状況は生じにくいものとなる。
【００３６】
加えて、この例ではガイド４０及び押釦３０にそれぞれガイド側侵入防止壁４５及び押釦側侵入防止壁３４が設けられており、これらガイド側侵入防止壁４５と押釦側侵入防止壁３４は図１及び２に示したように互い違いとなるように形成されて異物の侵入経路に位置しているため、異物がリブ３３と溝４４との摺動部分に入り込む可能性はさらに低くなっている。
【００３７】
図５はケース２０に押釦スイッチが収容、配列されてなる操作パネルの一例としてＦＡ機器の操作パネルを示したものであり、多数の押釦スイッチ（図５では押釦スイッチの押釦３０を示している）が高密度に配列されている。このような操作パネルにおいて例えば操作パネルの小型化や押釦スイッチの数量増が要求される場合、押釦スイッチの配列の狭ピッチ化は免れえない。この点、図８及び９に示したような従来構成例ではリブ１５と案内溝１３とよりなる案内構造がキートップ１１の周縁に、つまりキートップ１１の操作面（キートップ頂面１１ａ）より外側に位置しているため、その分狭ピッチ化に不利となっている。これに対し、上述したこの発明の実施例ではリブ３３と溝４４とよりなる案内構造はキートップ３１の裏側中央に位置しているため、狭ピッチ化に有利な構造となっている。
【００３８】
図６Ａはこの発明による押釦スイッチの他の実施例を示したものであり、図６Ｂはその操作状態を示したものである。この例ではガイド側侵入防止壁４５と押釦側侵入防止壁３４が互い違いではなく、互いに対向するように形成されている。ガイド側侵入防止壁４５及び押釦側侵入防止壁３４はこのような位置関係に形成してもよい。なお、ガイド側侵入防止壁４５と押釦側侵入防止壁３４は必ずしも双方を設けなくてもよく、例えばガイド側侵入防止壁４５のみとして、その突出高さを高くするような構成としてもよい。
【００３９】
一方、例えば粉塵や切粉等を含んだ油（汚れた油）の侵入が懸念される場合には、油は面を伝わって侵入するため、ガイド側侵入防止壁４５と押釦側侵入防止壁３４の双方を設け、かつ沿面距離を増大させるべく、図１及び２に示したように互い違いとなるよう配置するのが好ましい。
【００４０】
リブ３３は上述した実施例では押釦３０の軸部３２の軸回りに９０°間隔で３つ設けているが、３つに限定されるものではなく、例えば図７Ａに示した押釦３０’のように９０°間隔で４つ設けてもよい。また、図７Ｂに示した押釦３０’’のようにリブ３３を２つとしてもよい。図７Ｂでは２つのリブ３３は軸回りに互いに９０°をなす位置に形成されている。
【００４１】
リブ３３は少なくとも軸回りの相互に異なる一直線上にない方位に２つ形成すればよく、これによりガタツキや傾きを抑え、良好なスイッチ操作が可能となる。なお、図３に示した押釦３０や図７Ｂに示した押釦３０’’のような３６０°未満の回転角度による回転対称性のないリブ３３の配置とすれば、ガイド４０の貫通穴４３に軸部３２を挿入する際、回転方向の位置決めがなされ、押釦３０，３０’’の向きが一義的に決定されるものとなる。ガイド４０の貫通穴４３の内周面の溝４４はリブ３３の位置、数と対応するように設けられる。
【００４２】
ここで、このように押釦３０の軸部３２にリブ３３を設け、リブ３３を摺動案内する溝４４を、軸部３２を収容する貫通穴４３に設けることにより、スイッチの良好な操作性を実現できることについて説明する。
【００４３】
例えば、単なる円柱状の軸部が円形の貫通穴に案内される場合、軸部が傾く（倒れる）と上下２点が貫通穴の内周面と当たり、摺動することになる。この場合、軸部の外周面や貫通穴の内周面のような円筒面は一般に摩擦係数の小さい良好な面（鏡面）に仕上げるのが難しいため、摺動摩擦力が大きくなり、良好なスイッチ操作性は得られない。
【００４４】
これに対し、軸部が貫通穴に案内される場合に摺動する部分をリブと溝の内壁に限定すれば、リブや溝は平面によって形状が構成されるため、鏡面仕上げがしやすく、よって軸部が傾いてリブと溝の内壁が摺動しても摺動摩擦力は小さく、これにより良好なスイッチ操作性が得られることになる。
【００４５】
上述した実施例において、軸部３２が傾いた場合、リブ３３は突出方向の先端面ではなく、側面（幅方向の側面）が溝４４の内壁と摺動するようにする。このため、リブ３３と溝４４の幅方向のクリアランスを小さくし、リブ３３の突出方向のクリアランスは大きくする。即ち、実施例に示したように９０°間隔でリブ３３が形成されている場合、軸部３２が傾き、あるリブ３３の側面が溝４４の内壁と当たったとしても、倒れ方向にあるリブ３３（溝４４の内壁と側面が当たったリブ３３と９０°ずれた方向にあるリブ３３）の突出方向の先端面は溝４４の内壁と当たらないようにする。このようにして、摺動案内される部分をリブ３３の側面のみに限定すると共に、リブ３３と溝４４の幅方向のクリアランスを小さくすれば、スイッチ操作時のガタツキや傾きを抑え、良好なスイッチ操作性を実現できる。なお、少なくとも２つのリブ３３を軸部３２の軸回りの相互に異なる一直線上にない方位に設けることにより、このような良好なスイッチ操作性を実現できる。
【００４６】
本発明におけるリブと溝の幅方向のクリアランスと、上記したような円柱状の軸部と円形の貫通穴とでなる従来例のクリアランスとが等しい大きさを有する場合、換言すれば両者の実効的クリアランスが等しく、量的に同等のガタツキ抑圧効果を有すると言える場合について本発明と上記従来例とを比較すると、本発明においては上記従来例と異なり、ガタツキを抑圧する摺動作用に関与しない部位でのクリアランス、より詳しくはリブを設けていない軸部外周やリブの突出方向でのクリアランスを、無用なクリアランス空間として大きく形成することができる。その結果、本発明が軸部と貫通穴との間に有する隙間の全容積は、上記従来例が軸部と貫通穴との間に有する隙間の容積よりもはるかに大きいものとなっている。そして、粉塵や切粉等の異物が侵入した場合、本発明においては異物がその無用なクリアランス空間に退避して、摺動作用を妨げない状態に至ることが高い確率で起こるのである。
【００４７】
つまり、上記従来例においてはわずかな異物の侵入によって直ちに摺動が阻害されるために実施できなかったような厳しいクリアランス、即ちガタツキ抑圧の要求仕様を、摺動の阻害を十分に回避しながら達成することが、本発明においては可能となる。
【符号の説明】
【００４８】
１１    キートップ                          １１ａ    キートップ頂面
１２    キートップガイド                    １３    案内溝
１４    突条                                １５    リブ
１６    ガイド保持板                        １７    脱落防止片
１８    スイッチ素子                        １９    発光素子
２０    ケース                              ２１    フロントケース
２２    リアケース                          ２３    開口
３０，３０’，３０’’    押釦              ３１    キートップ
３１ａ    操作面                            ３１ｂ    フランジ
３１ｃ    裏面                              ３２    軸部
３２ａ    穴                                ３３    リブ
３４    押釦側侵入防止壁                    ４０    ガイド
４１    案内部                              ４２    支持板部
４３    貫通穴                              ４４    溝
４５    ガイド側侵入防止壁                  ５０    ラバーシート
５１    柱状部                              ５２    スカート部
５３    可動接点                            ５４    シート部
６０    基板
【図１】
0006404135.tif 000002
【図２】
0006404135.tif 000003
【図３】
0006404135.tif 000004
【図４】
0006404135.tif 000005
【図５】
0006404135.tif 000006
【図６】
0006404135.tif 000007
【図７】
0006404135.tif 000008
【図８】
0006404135.tif 000009
【図９】
0006404135.tif 000010